(57)【要約】【課題】小型大容量化の要望に沿う紙幣取扱装置１を提供し、利用者の満足度を向上させる。【解決手段】  紙幣取扱装置１において、紙幣入出金口２０の後方に一時収納部４０を配置し、前記一時収納部４０の後方に紙幣判別部３０を配置し、前記紙幣繰出部２０ｂの下方から前記紙幣判別部３０の前方までの間で紙幣を搬送する搬送路５１ａ，５１ｂと、前記紙幣判別部３０の後方から一端上方へ上がって前記一時収納部４０までの間で紙幣を搬送する搬送路５２，５３，５４と、前記紙幣判別部３０の後方から前記搬送路５２に進んで最初に搬送先を振り分ける紙幣振り分けゲート５０ａとを備え、該紙幣振り分けゲート５０ａを前記一時収納部４０の後方上部に配置した。【選択図】図４
2008123072.tif 000002
【特許請求の範囲】
【請求項１】
投入された紙幣を繰り出す紙幣繰出部と放出する紙幣を集積する紙幣集積部を有する紙幣入出金部と、紙幣を判別する紙幣判別部と、紙幣を一時集積保管するための一時収納部と、紙幣を収納し再分離する紙幣収納部とを有する紙幣取扱装置であって、
前記紙幣入出金部の後方に前記一時収納部を配置し、
前記一時収納部の後方に前記紙幣判別部を配置し、
前記紙幣繰出部の下方から前記紙幣判別部の前方までの間で紙幣を搬送する第１搬送路と、
前記紙幣判別部の後方から一端上方へ上がって前記一時収納部までの間で紙幣を搬送する第２搬送路と、
前記紙幣判別部の後方から前記第２搬送路に進んで最初に搬送先を振り分ける第１分岐部とを備え、
該第１分岐部を前記一時収納部の後方上部に配置した
紙幣取扱装置。
【請求項２】
前記第２搬送路における前記紙幣判別部から前記第１分岐部までの間を、前記紙幣判別部の後部から上方へ立ち上がり前記紙幣判別部の上面に沿って前記紙幣判別部の前部へ向かう構成とした
請求項１記載の紙幣取扱装置。
【請求項３】
前記第１搬送路の途中で前記収納部へ向けて搬送方向を切り替える第２分岐部と、
該第２分岐部から前記紙幣収納部までの間で紙幣を搬送する第３搬送路とを備え、
前記第１搬送路の少なくとも前記紙幣判別部から前記第２分岐部までの間と、
前記第２搬送路の少なくとも前記一時収納部から前記紙幣判別部までの間と、
前記第３搬送路とをいずれも双方向に搬送可能に構成した
請求項１または２記載の紙幣取扱装置。
【請求項４】
前記紙幣判別部の前方から前記紙幣集積部までの間で紙幣を搬送する第４搬送路を備え、
前記一時収納部から繰り出した紙幣を前記紙幣判別部で判別して前記紙幣集積部へ搬送可能に構成した
請求項１、２または３記載の紙幣取扱装置。
【請求項５】
リジェクト紙幣を収納するためのリジェクト庫を備え、
前記第１分岐部を、前記第２搬送路における前記紙幣判別部からの搬送方向を前記一時収納部と前記リジェクト庫とに切り替える構成にした
請求項１から４のいずれか１つに記載の紙幣取扱装置。
【請求項６】
前記第２搬送路を、前記紙幣判別部の後方から前記紙幣集積部へ紙幣を搬送可能に構成した
請求項４記載の紙幣取扱装置。
【請求項７】
前記第１搬送路を、前記紙幣繰出部から前記紙幣判別部までの間全体で双方向に搬送可能に構成した
請求項１から６のいずれか１つに記載の紙幣取扱装置。
【発明の詳細な説明】
【技術分野】
【０００１】
この発明は、例えば金融機関などで使用される現金自動取引装置に実装されるような紙幣取扱装置に関する。
【背景技術】
【０００２】
従来、例えば金融機関などで使用される現金自動取引装置に実装される紙幣取扱装置には、利用者に入金された紙幣を一枚ずつ繰り出す機能と出金紙幣を放出する機能を有する紙幣入出金口と、入金紙幣もしくは出金紙幣を判別する紙幣判別部と、入金した紙幣を一旦収納する一時収納部と、紙幣判別部で所定の基準に達しないリジェクト紙幣を収納するリジェクト庫と、入金紙幣を収納・保管し、出金紙幣等として繰り出すリサイクル庫と、これらの各ユニットを接続する紙幣搬送路とが備えられている。
【０００３】
このような紙幣取扱装置では、最近になって多金種化や大容量化が進んだことにより、リサイクル庫は装置の下部に並べて配置し、その他の部分を紙幣取扱装置上部の上部ユニットに集めて配置する構成が一般的になっている（特許文献１参照）。
【０００４】
上記特許文献に記載の紙幣入出金機は、紙幣入出金口、紙幣判別部、一時収納部が装置上部の上部ユニットに配置されており、入金された紙幣を紙幣判別部により判別し、受け入れ可能と判別できた紙幣は一時収納部へ搬送する。このため、入出金口と一時収納部は紙幣判別部をはさんで前後に配置されている。このように、紙幣入出金機では、装置前方から入出金口、紙幣判別部、一時収納部の順で配置されるのが一般的であった。
【０００５】
ここで、紙幣判別部で紙幣を判別し、受け入れ可能な紙幣のみを一時収納部へ搬送するためには、紙幣判別部の判別結果をもって、紙幣の搬送先を振り分ける必要がある。そして、紙幣判別部による判別には一定時間を要するため、紙幣が紙幣判別部を通過後、判定結果が出るまで待ってから一時収納部または入出金口へ紙幣を振り分ける必要がある。この一定時間を稼ぐため、時間稼ぎ用の搬送路を紙幣判別部の後段に設け、この搬送路の後段に振り分けようの分岐が設けられている。そして、この搬送路を設けるために、紙幣入出金機の上部ユニットを、長さ方向、又は高さ方向に大きくする必要がある。
【０００６】
しかし、近年では、紙幣入出金機の全体サイズを小型化し、かつ紙幣の収納容量を大量化する小型大容量化が要求されており、上部ユニットが大きくなることは市場の要求に反していた。
【０００７】
【特許文献１】特開２００３−２０８６５４号公報
【発明の開示】
【発明が解決しようとする課題】
【０００８】
この発明は、上述の問題に鑑み、小型大容量化の要望に沿う紙幣取扱装置を提供し、利用者の満足度を向上させることを目的とする。
【課題を解決するための手段】
【０００９】
本発明は、紙幣取扱装置であって、紙幣入出金部の後方に一時収納部を配置し、前記一時収納部の後方に紙幣判別部を配置し、前記紙幣繰出部の下方から前記紙幣判別部の前方までの間で紙幣を搬送する第１搬送路と、前記紙幣判別部の後方から一端上方へ上がって前記一時収納部までの間で紙幣を搬送する第２搬送路と、前記紙幣判別部の後方から前記第２搬送路に進んで最初に搬送先を振り分ける第１分岐部とを備え、該第１分岐部を前記一時収納部の後方上部に配置したことを特徴とする。
【発明の効果】
【００１０】
この発明により、小型大容量化の要望に沿う紙幣取扱装置を提供し、利用者の満足度を向上させることができる。
【発明を実施するための最良の形態】
【００１１】
この発明の一実施形態を以下図面と共に説明する。  
【実施例１】
【００１２】
図１は、現金自動取引装置の外観を示す斜視図である。  
現金自動取引装置１０１の左部内部には、上部正面板１０１ａに設けられたカードスロット１０２ａと連通し利用者のカードを処理し、取引明細票を印字して放出するカード・明細票処理機構１０２と、取引の内容を表示および入力する顧客操作部１０５とが備えられている。現金自動取引装置１０１全体は、装置筐体１０１ｃで囲われている。現金自動取引装置１０１の右部内部には、紙幣を処理する紙幣取扱装置１が備えられており、上部の傾いた正面板１０１ｂに入出金口のシャッタ２０ａが設けられている。この現金自動取引装置１０１は、カード、紙幣、明細票を媒体とし、前面を接客面として利用者による預け入れ、支払い、振り込みなどの処理を行なうものである。
【００１３】
図２は、現金自動取引装置１０１の制御関係を示す制御ブロック図である。  
現金自動取引装置１０１に納められたカード・明細票処理機構１０２、紙幣取扱装置１および顧客操作部１０５は、それぞれＵＳＢ等の回線によって本体制御部１０７に接続されており、本体制御部１０７の制御下で必要な動作を行なう。また本体制御部１０７には、他に、外部インタフェース部１０７ｂ、係員操作部１０７ｃ、外部記憶装置１０７ｄがバス接続等により接続されており、必要なデータのやりとりを行なう。なお、１０１ｄは、上記各機構部分や構成部分に電力を供給する電源部である。
【００１４】
図３は、現金自動取引装置１０１の中に配置される紙幣取扱装置１の制御関係を示す制御ブロック図である。  
紙幣取扱装置１の制御部１０は、現金自動取引装置１０１の本体制御部１０７と回線を介して接続され、本体制御部１０７からの指令および入出金機である紙幣取扱装置１の状態検出に応じて紙幣取扱装置１の制御を行い、また、紙幣取扱装置１の状態を必要に応じて本体制御部１０７に送る。
【００１５】
この紙幣取扱装置１は、各ユニット（紙幣入出金部としての紙幣入出金口２０、紙幣判別部３０、一時収納部４０、搬送路５０、リジェクト庫６０、紙幣収納部としてのリサイクル庫７１〜７４）に駆動モータや電磁ソレノイドやセンサなど（図示せず）も有し、後述の取引に応じて、センサで状態を監視しながら、アクチュエータ（駆動モータや電磁ソレノイド等）を駆動制御する。  
図４は、紙幣取扱装置１の構成を示す側面図である。  
紙幣取扱装置１は、大別して、上部紙幣機構１ａと下部紙幣機構１ｂとに分割されて構成されている。
【００１６】
上部紙幣機構１ａは、主に利用者との紙幣の授受に必要な機構が集められ、利用者が紙幣の投入・取り出しを行なう紙幣入出金口２０と、紙幣の判別を行なう紙幣判別部３０と、入金した紙幣を取引成立までの間一旦収納する一時収納部４０と、出金に供しない紙幣を収納するリジェクト庫６０と、制御部１０とから構成される。なお、図４では制御部１０が図示省略されている。また、一時収納部４０は、紙幣を一時的に収納する空間と、該空間に紙幣を集積していくための搬送ローラや羽根車等が備えられており、図に点線で示すようにユニット化されている。
【００１７】
下部紙幣機構１ｂには、入金された紙幣を金種別に収納し、出金する紙幣を繰り出すためのリサイクル庫７１〜７４が複数個設けられている。
【００１８】
上部紙幣機構１ａについて詳述すると、接客面となる前面側に紙幣入出金口２０が配置され、該紙幣入出金口２０の後方に一時収納部４０が隣接して配置されている。一時収納部４０の後方には、該一時収納部４０と少し離間して紙幣判別部３０が配置されている。
【００１９】
紙幣入出金口２０は、上方のシャッタ２０ａが開いた状態で上から投入された紙幣を下方へ繰り出す紙幣繰出部２０ｂと、下方から搬送されてきた紙幣を集積する紙幣集積部２０ｃとが、この順で前後に配置されて構成されている。
【００２０】
前記紙幣繰出部２０ｂの下端から紙幣判別部３０の前面までは、前後方向に伸びる第１搬送路としての搬送路５１ａおよび搬送路５１ｂにより接続されている。搬送路５１ａの途中には、下部紙幣機構１ｂへ紙幣を振り分けるための第２分岐部としての紙幣振り分けゲート５０ｃが設けられている。
【００２１】
紙幣判別部３０の後面から一時収納部４０の後下部までは、第２搬送路としての搬送路５２，５３，５４により接続されている。搬送路５２は、紙幣判別部３０の後面の上下方向略中央部から一端上方へ立ち上がり、紙幣判別部３０の上方を前方へ略水平に進んで紙幣判別部３０の前面近傍の上方位置に設けられた第１分岐部としての紙幣振り分けゲート５０ａに接続されている。
【００２２】
この紙幣振り分けゲート５０ａは、一時収納部４０の後方上部の位置で、一時収納部４０の背面になるべく近接する位置に配置されている。また、紙幣振り分けゲート５０ａは、紙幣判別部３０の前面より後方側で、紙幣判別部３０の上面より上方に位置している。この実施例１では、紙幣判別部３０から見て、紙幣判別部３０の上方前部の近傍位置に配置されている。
【００２３】
搬送路５３は、紙幣振り分けゲート５０ａから斜め前下方向へ進み、一時収納部４０の後下方に設けられた紙幣振り分けゲート５０ｂに接続されている。搬送路５４は、紙幣振り分けゲート５０ｂから一時収納部４０までを接続している。
【００２４】
紙幣振り分けゲート５０ｂから紙幣集積部２０ｃの下端までは、搬送路５５により接続されている。この搬送路５５は、前後方向へ略水平に伸びている。従って、紙幣判別部３０の後部から紙幣集積部２０ｃまでは、搬送路５２，５３，５５により接続されている。
【００２５】
紙幣振り分けゲート５０ａからリジェクト庫６０の前上端までは、搬送路５６により接続されている。この搬送路５６は、紙幣振り分けゲート５０ａから後方へ略水平に伸びた後、斜め後下方向へ向かっている。
【００２６】
紙幣入出金口２０と紙幣判別部３０とを繋ぐ搬送路５１ａの途中に設けられた紙幣振り分けゲート５０ｃの下部には、下部紙幣機構１ｂとの紙幣の受け渡しを行なう第３搬送路としての搬送路５７が設けられている。この搬送路５７は、上下方向に伸びている。
【００２７】
また、搬送路５１ａと搬送路５１ｂの間には、紙幣振り分けゲート５０ｊが設けられ、該紙幣振り分けゲート５０ｊから紙幣集積部２０ｃを接続する第４搬送路としての搬送路５９が設けられている。これにより、紙幣判別部３０を前後どちらの方向へ搬送し判別した紙幣であっても、紙幣入出金口２０の紙幣集積部２０ｃに収納することが可能な構成としている。
【００２８】
これらの搬送路のうち少なくとも５１ｂ、５２、５３、５４、５７は、紙幣が上流から下流および下流から上流のどちらの方向でも搬送可能な双方向搬送路で構成されている。
【００２９】
このようにして、上流から下流へ向かって、入出金口２０の紙幣繰出部２０ｂ、搬送路５１ａ，５１ｂ、紙幣判別部３０、搬送路５２、紙幣振り分けゲート５０ａ、搬送路５３、紙幣振り分けゲート５０ｂ、搬送路５５，５９、紙幣集積部２０ｃの順に接続されている。
【００３０】
下部紙幣機構１ｂには、金種別に紙幣を収納、再繰り出しするためのリサイクル庫７１〜７４が設けられ、更にリサイクルに供しない紙幣を収納する為の収納庫６１が実装されている。また前記各リサイクル庫７１〜７４、収納庫６１の上部には、前記上部紙幣機構１ａ下部に設けられた搬送路５７と接続する双方向に搬送可能な前後方向に伸びる略水平な搬送路５８が設けられている。さらにリサイクル庫７１〜７４、収納庫６１上部には、それぞれに収納すべき紙幣を振り分ける為の紙幣振り分けゲート５０ｄ〜５０ｈが設けられている。
【００３１】
次に、入金取引処理の際の紙幣取扱装置１の動作について説明する。  
紙幣入出金口２０の紙幣繰出部２０ｂは、入金された複数枚の紙幣を一枚ずつ分離して下方へ繰り出す。紙幣繰出部２０ｂから下方へ繰り出された紙幣は、搬送路５１ａ，５１ｂにより略水平に後方へ搬送され、紙幣判別部３０を前面から後方へ通過する。紙幣判別部３０は、内部に実装されているセンサ等によって、通過する紙幣の真偽、金種、および正損状態を判別する。
【００３２】
紙幣判別部３０を通過した紙幣は、紙幣判別部３０の後面から搬送路５２によって一旦上方へ搬送され、さらに前方へ略水平に搬送される。この搬送路５２にて搬送している間に、前記紙幣判別部３０による判別が完了すると共に、該判別結果による紙幣振り分けゲート５０ａ、５０ｂの切り替えが実行される。
【００３３】
紙幣判別部３０によって受け入れ可能な紙幣であると判別された場合は、紙幣振り分けゲート５０ａ，５０ｂを一時収納部４０へ向けて切り替え、搬送路５３，５４によって紙幣を下方前方へ搬送し該紙幣を一時収納部４０内に集積する。
【００３４】
紙幣判別部３０によって受け入れできない紙幣であると判別された場合は、紙幣振り分けゲート５０ａ，５０ｂを紙幣集積部２０ｃへ向けて切り替え、入金リジェクト紙幣として紙幣集積部２０ｃに収納し、その後、図示しない押板によってシャッタ２０ａ下部に移動した後、シャッタ２０ａが開いて利用者に返却される。
【００３５】
このようにして紙幣入出金口２０に投入された全ての紙幣を処理し、入金された金額と紙幣取扱装置１の計数した金額とが一致し、利用者によって顧客操作部１０５（図２参照）で入金取引確定が入力されると、一時収納部４０に一時収納していた紙幣をリサイクル庫７１〜７４へ収納する収納処理を実行する。
【００３６】
この収納処理では、まず紙幣振り分けゲート５０ａ，５０ｂを一時収納部４０から紙幣判別部３０までを接続するように切り替え、紙幣振り分けゲート５０ｃを紙幣判別部３０と搬送路５７を接続するように切り替える。
【００３７】
一時収納部４０によって一枚ずつ繰り出された紙幣は、搬送路５４、紙幣振り分けゲート５０ｂ、搬送路５３、紙幣振り分けゲート５０ａ、搬送路５２を通って紙幣判別部３０へ搬送される。紙幣判別部３０を通過した紙幣は、搬送路５１ｂ，５１ａによって搬送され、紙幣振り分けゲート５０ｃによって搬送路５７へ搬送される。紙幣は、下部紙幣機構１ｂの搬送路５８によって搬送され、金種などによって切り替えられた紙幣振り分けゲート５０ｄ〜５０ｈで振り分けられて、収納庫６１およびリサイクル庫７１〜７４のいずれか一つに収納される。
【００３８】
なお、この収納処理の間に紙幣判別部３０により紙幣の金種等を判別し、この判別結果によって紙幣振り分けゲート５０ｄ〜５０ｈを切り替える構成とした場合、紙幣を搬送路５１ｂ，５１ａ，５７で搬送している間に、判別を完了して紙幣振り分けゲート５０ｄ〜５０ｈを切り替えることができる。
【００３９】
次に、出金取引処理の際に紙幣取扱装置１が実行する動作について説明する。  
出金取引処理では、各リサイクル庫７１〜７４から金種別に紙幣を一枚ずつ所定枚数まで繰り出す。繰り出された紙幣は、搬送路５８，５７，５１ａ，５１ｂによって紙幣判別部３０へ搬送される。
【００４０】
紙幣判別部３０は、通過する紙幣が出金可能な紙幣か否かを判定する。  
出金可能な紙幣であれば、紙幣振り分けゲート５０ａ，５０ｂを紙幣判別部３０と紙幣集積部２０ｃを接続するように切り替え、搬送路５２，５３，５５により紙幣集積部２０ｃまで紙幣を搬送し、紙幣集積部２０ｃに紙幣を集積する。  
出金不可能な紙幣であれば、紙幣振り分けゲート５０ａを紙幣判別部３０とリジェクト庫６０を接続するように切り替え、紙幣をリジェクト庫６０へ搬送する。この判別と判別結果による紙幣振り分けゲート５０ａ，５０ｂの切り替えは、搬送路５２で紙幣を搬送している間に完了する。
【００４１】
このようにして紙幣の搬送動作が終了すると、紙幣入出金口２０のシャッタ２０ａを開き、紙幣集積部２０ｃに集積した紙幣を利用者が抜き取れる状態となる。利用者によって紙幣が抜き取られると、シャッタ２０ａを閉じ、出金処理を終了する。
【００４２】
以上の構成と動作により、小型大容量化の要望に沿う紙幣取扱装置１を提供することができる。詳述すると、入出金口２０、一時収納部４０、および紙幣判別部３０を前方から後方へこの順で一列に配置し、搬送路５１〜５５をこれら紙幣入出金口２０、一時収納部４０、および紙幣判別部３０の周囲に沿って配置したため、余分なスペースを削除して効率よく空間を使用し、上部紙幣機構１ａをコンパクトに小型化することができる。
【００４３】
特に、紙幣判別部３０の直後の下流となる搬送路５２は、紙幣判別部３０の後方出口で上方に立ち上がり、紙幣判別部３０の上部で、装置前方に向けて方向を変え、一時収納部４０付近に実装された紙幣振り分けゲート５０ａと接続されているため、判別処理に必要な時間を稼ぐための搬送路と兼用できる。これにより、従来のように紙幣判別部３０と一時収納部４０との間に判別結果待ち専用の搬送路を設ける必要がなく、無駄のない効率的な実装が可能となる。
【００４４】
また、紙幣判別部３０の上部に実装される搬送路５２、５６は、前後方向に略水平に伸びているため、紙幣を搬送するための搬送ベルトが実装されるだけでよく、高さ方向の実装スペースを小さくすることができる。このため紙幣判別部３０とその上部の搬送路５２、５６をあわせても、高さ方向の実装スペースを小さくすることが可能となる。
【００４５】
また、搬送路５２，５６の高さ方向の実装スペースを小さくしたことにより、この高さを紙幣入出金口２０や一時収納部４０と比較しても充分低くすることができ、上部紙幣機構１ａにおける紙幣入出金口２０、一時収納部４０、および紙幣判別部３０の各ユニットをほぼ水平に実装することができる。これにより、上部紙幣機構１ａの高さを低くすることが可能となる。
【００４６】
また、奥行き方向においても、紙幣入出金口２０、一時収納部４０、および紙幣判別部３０を並べて実装するだけのスペースがあれば十分となり、紙幣判別部３０後段で判別結果待ちの専用の搬送路を前後方向に設けるスペースが不要となり、奥行き方向にも小さくすることが可能となる。
【００４７】
また上部紙幣機構１ａ下部には、一般的に紙幣収納庫（本実施例ではリサイクル庫７１〜７４）が実装されるが、一時収納部４０への搬送ルートを紙幣判別部３０後部から上方に立上げ紙幣判別部３０上方を通って一時収納部４０に接続したことにより、この搬送ルートが一時収納部４０から上部紙幣機構１ａ下部のリサイクル庫７１〜７４への搬送ルートと交錯することがなく、より効率的な実装が可能となる。
【００４８】
また、搬送路５９により、一時収納部４０に集積された紙幣を紙幣判別部３０に搬送し、判別した後に紙幣入出金口２０へ返却することができる。また搬送路５９により、入金取引時に取引の途中取り消し等が発生した場合等で、一時収納部４０に集積した紙幣を返却する場合に、返却紙幣を計数して返却できる。また搬送路５９により、一時収納部４０から繰り出した紙幣を直接紙幣入出金口２０に搬送するために別途の搬送ルートを設ける必要がなくなる。一時収納部４０から繰り出す紙幣は紙幣収納動作等で搬送路５４、５３、５２を通して紙幣判別部３０へ搬送する動作が必要なため、一時収納部４０から繰り出し直後に紙幣入出金口２０側と搬送路５４側に切り替えるのは構造上困難であるが、上記のように搬送路５１ｂの途中に紙幣入出金口２０の紙幣集積部２０ｃに繋がる搬送路５９を設けることで、紙幣入出金口２０へ搬送することが実現できる。
【００４９】
また、上部紙幣機構１ａの上下方向の高さを小さくすることで、紙幣取扱装置１全体の高さは従来のままで、収納庫６１やリサイクル庫７１〜７４の高さを高くすることができ、収納庫６１やリサイクル庫７１〜７４の紙幣収納容量を増加させることが可能となる。
【００５０】
また、紙幣振り分けゲート５０ａの先にリジェクト庫６０を設けたことにより、紙幣判別部３０での判別に必要な距離を搬送路５２で稼いだ後に紙幣をリジェクト庫６０へ搬送することができる。
【００５１】
なお、上記実施例では、搬送路５１ａを前部から後方への一方向搬送路で構成されていたが、この搬送路５１ａを双方向に搬送可能な搬送路で実現してもよい。これにより、搬送路５１ａ，５１ｂ等で滞留した紙幣等を、搬送路５１ａ，５１ｂ等を逆転することにより紙幣入出金口２０へ返却可能となる。特に、紙幣判別部３０内の搬送路は、判別用センサの性能上、搬送路の厚さを狭くしておく必要がある。このため、紙幣が紙幣判別部３０と紙幣入出金口２０の間で滞留した場合、紙幣判別部３０を経由して紙幣を入出金口に返却するよりも、搬送路５１ａ、５１ｂを逆転させ直接紙幣入出金口２０に返却することにより、より確実に紙幣を紙幣入出金口２０に返却可能となる。紙幣入出金口２０に戻した紙幣を、上面のシャッタ２０ａを開いて利用者に返却し再投入してもらうことで、紙幣取扱装置１は取引を継続することが可能となる。
【００５２】
また、上記実施例１では、搬送路５１ａの途中に、下部紙幣機構１ｂへの搬送路５７と接続する紙幣振り分けゲート５０ｃを設けているが、この紙幣振り分けゲート５０ｃを前後方向へ移動可能とする、もしくは複数の紙幣振り分けゲート５０ｃを設けて複数個所で分岐可能としてもよい。
【００５３】
これにより、現金自動取引装置１０１などの装置への実装の都合から、下部紙幣機構１ｂに対して上部紙幣機構１ａの実装位置を前後方向へずらす必要が生じた場合、この紙幣振り分けゲート５０ｃの位置を変更することにより容易に対応できる。例えば、図５は上部紙幣機構１ａを図４で示した実装状態よりも前方にずらした例を示し、図６は、上部紙幣機構１ａを後方にずらした例を示している。
【００５４】
この発明は、上述の実施形態の構成のみに限定されるものではなく、多くの実施の形態を得ることができる。
【図面の簡単な説明】
【００５５】
【図１】現金自動取引装置の外観を示す斜視図。
【図２】現金自動取引装置の制御関係を示す制御ブロック図。
【図３】現金自動取引装置内の紙幣取扱装置の制御関係を示す制御ブロック図。
【図４】紙幣取扱装置の構成を示す側面図。
【図５】紙幣取扱装置の他の配置を示す側面図。
【図６】紙幣取扱装置の他の配置を示す側面図。
【符号の説明】
【００５６】
１…紙幣取扱装置、２０…紙幣入出金口、２０ｂ…紙幣繰出部、２０ｃ…紙幣集積部、３０…紙幣判別部、４０…一時収納部、５０ａ，５０ｃ…紙幣振り分けゲート、５１ａ，５１ｂ，５２，５３，５４，５７，５９…搬送路、６０…リジェクト庫、７１〜７４…リサイクル庫
【図１】
2008123072.tif 000003
【図２】
2008123072.tif 000004
【図３】
2008123072.tif 000005
【図４】
2008123072.tif 000006
【図５】
2008123072.tif 000007
【図６】
2008123072.tif 000008